(57)【要約】【課題】  配線・配管材の布設作業を簡略化（省力化）することができるとともに、布設時又は布設後においても、配線・配管材が撓んだり、配線・配管材を支持する支持具が落下してしまうことを防止することができる縦型メッシュラック、及び縦型メッシュラックに取付けられる支持具を提供すること。【解決手段】  金属線材から成る複数の縦筋１１１及び横筋１１２が格子状に組まれて構成される縦向き配設方式のメッシュラック本体１１０と、メッシュラック本体１１０に取付けられた状態で配線・配管材を支持する支持具１３０，１４０とを備えており、支持具１３０，１４０が、メッシュラック本体１１０を構成する２本の横筋間１１２に架設されることを特徴としている。【参考図】図１【特許請求の範囲】
【請求項１】
金属線材から成る複数の縦筋及び横筋が格子状に組まれて構成される縦向き配設方式のメッシュラック本体と、該メッシュラック本体に取付けられた状態で配線・配管材を支持する支持具とを備えた縦型メッシュラックであって、
メッシュラック本体は、縦筋及び横筋により構成される格子面が垂直に配設される垂直部を備えており、
支持具は、前記垂直部を構成する２本の横筋間に架設される方式の第１支持具によって構成されていることを特徴とする請求項１に記載の縦型メッシュラック。
【請求項２】
第１支持具は、メッシュラック本体の両面の何れにも掛止可能であることを特徴とする請求項１に記載の縦型メッシュラック。
【請求項３】
第１支持具は、垂直部を構成する一の横筋に掛止する第１掛止部と、該第１掛止部の掛止状態を維持すべく前記垂直部を構成する他の横筋に係合する第１係合部と、配線・配管材を支持する第１支持部とによって構成されていることを特徴とする請求項１又は２に記載の縦型メッシュラック。
【請求項４】
メッシュラック本体は、縦筋及び横筋により構成される格子面が垂直に配設される垂直部および水平に配設される水平部を備えており、
支持具は、第１支持具に加え、前記水平部又は垂直部の何れかを構成する一方の横筋と前記水平部を構成する他方の横筋との間に架設される方式の第２支持具によっても構成されていることを特徴とする請求項１から３の何れかに記載の縦型メッシュラック。
【請求項５】
メッシュラック本体は、水平部が垂直部の下端両側に延設されて構成されており、
第２支持具は、メッシュラック本体の両面の何れの面にも掛止可能であることを特徴とする請求項４に記載の縦型メッシュラック。
【請求項６】
第２支持具は、水平部又は垂直部の何れかを構成する一の横筋に掛止する第２掛止部と、該第２掛止部の掛止状態を維持すべく前記水平部を構成する他の横筋に係合する第２係合部と、配線・配管材を支持する第２支持部とによって構成されていることを特徴とする請求項４又は５に記載の縦型メッシュラック。
【請求項７】
第２支持具は、垂直部を構成する一の横筋に掛止する第２掛止部と、該第２掛止部の掛止状態を維持すべく水平部又は垂直部の何れかを構成する他の横筋に係合する第２係合部と、配線・配管材を支持する第２支持部とによって構成されていることを特徴とする請求項４又は５に記載の縦型メッシュラック。
【請求項８】
第１支持部又は第２支持部は、フック部材により構成されていることを特徴とする請求項３、６又は７に記載の縦型メッシュラック。
【請求項９】
第１支持部又は第２支持部は、ローラー部材と、該ローラー部材を回動可能に支持する基台部材とによって構成されていることを特徴とする請求項３、６又は７に記載の縦型メッシュラック。
【請求項１０】
第１支持部又は第２支持部は、基台部材に連設する脱落防止ステー部材を備えていることを特徴とする請求項９に記載の縦型メッシュラック。
【請求項１１】
第２支持部を構成する基台部材が、第２掛止部と第２係合部とを連結する連結部材をも兼ねることを特徴とする請求項９又は１０に記載の縦型メッシュラック。
【請求項１２】
第１掛止部又は第２掛止部は、フック部材により構成される一方、
第１係合部又は第２係合部は、前記第１掛止部又は第２掛止部の両側に設けられるとともに凸部又は凹部の少なくとも何れかを有する係合ステー部材により構成されることを特徴とする請求項３、６、７、８、９、１０又は１１に記載の縦型メッシュラック。
【請求項１３】
第１掛止部又は第２掛止部は、差込部材により構成される一方、
第１係合部又は第２係合部は、ネジ止め部材を備えており、基台部材とネジ止め部材とによって横筋を挟み込んで係合することを特徴とする請求項３、６、７、８、９、１０又は１１に記載の縦型メッシュラック。
【請求項１４】
メッシュラック本体は、断面円形状の横筋により構成されていることを特徴とする請求項１２又は１３に記載の縦型メッシュラック。
【請求項１５】
金属線材から成る複数の縦筋及び横筋が格子状に組まれて構成された縦向き配設方式の縦型メッシュラックに取着されて配線・配管材を支持する支持具であって、
前記縦型メッシュラックを構成する２本の横筋間に架設するように取着することを特徴とする支持具。
【発明の詳細な説明】
【技術分野】
【０００１】
本発明は、配線又は配管材を布設するためのメッシュラックに関し、縦向き配設方式の縦型メッシュラック、及びその縦型メッシュラックに取付けられる支持具に関する。
【背景技術】
【０００２】
工場、オフィス等では、多量の配線・配管材（配線材若しくは配管材の少なくとも何れか一方又は両方のこと。本件明細書、本件特許請求の範囲において同じ）が布設されるが、近年においては、配線・配管材は、ラックを用いて行われる。
【０００３】
ここで、ラックには、種々の種類があるが、布設スペース等の具合によって、縦向き配設方式（縦向きに配設される方式であって、吊下タイプであっても良いし、壁掛タイプタイプであっても、地面置きタイプ等の如何によらない。）の縦型メッシュラックが用いられる（特許文献１参照）。
【０００４】
かかる特許文献１に記載の従来技術のケーブルラックによれば、ラック（ラック本体）には複数の穴が穿設されており、バンド体（結束バンド）等で穴を介してケーブル（配線材）を結束することにより、ラックにケーブルを取付固定するのである（考案の詳細な説明参照）。
【特許文献１】実開昭５３−５１９９８号公報
【発明の開示】
【発明が解決しようとする課題】
【０００５】
しかしながら、特許文献１に記載の従来技術のケーブルラックによれば、ケーブルをラックに布設する場合、いちいちケーブルを把持しながら所定間隔毎に結束バンドでラックに固定しなければならず、ケーブル長が短い場合にはさほど問題とならないが、長い場合にはケーブルの布設作業が非常に煩雑であるという不具合があった。更には、結束バンドを強く引っ張ると、メッシュの角によって結束バンドが切れてしまう可能性があった。
【０００６】
本発明は、上述の不具合を鑑みて案出されたものであって、配線・配管材の布設作業を簡略化（省力化）することができるとともに、布設時又は布設後においても、配線・配管材が撓んだり、配線・配管材を支持する支持具が落下してしまうことを防止することができる縦型メッシュラック、及び縦型メッシュラックに取付けられる支持具を提供することを目的としている。
【課題を解決するための手段】
【０００７】
（縦型メッシュラック）
上述の目的を達成するために本発明の縦型メッシュラックは、金属線材から成る複数の縦筋及び横筋が格子状に組まれて構成される縦向き配設方式のメッシュラック本体と、該メッシュラック本体に取付けられた状態で配線・配管材を支持する支持具とを備えた縦型メッシュラックであって、前記支持具は、前記メッシュラック本体を構成する２本の横筋間に架設されることを特徴としている。
【０００８】
そして、かかる構成を有するが故に、本発明の縦型メッシュラックによれば、配線・配管材をメッシュラック本体に布設する場合にも、単に支持具上に支持させるだけで足りるため、布設作業が簡略化される。また、配線・配管材の布設時又は布設後において、支持具が不用意にメッシュラック本体から外れてしまうことが防止される。勿論、配線・配管材の布設作業時において、支持具に支持させた後、所謂インシュロック等の結束バンドによって結束固定しても良く、その場合、配線・配管材は既に支持具に支持されているから、その結束作業が簡略化される。付言すれば、メッシュラック本体を構成する複数の横筋は互いに平行であることが支持具を適宜位置で架設できるので好ましく、縦筋の延伸長さに比べて横筋の延伸長さの方が長い方が縦型メッシュラックの連結数が少なくできるので好ましい。
（支持具）
同様に、上述の目的を達成するために本発明の支持具は、金属線材から成る複数の縦筋及び横筋が格子状に組まれて構成された縦向き配設方式の縦型メッシュラックに取着されて配線・配管材を支持する支持具であって、前記縦型メッシュラックを構成する２本の横筋間に架設するように取着することを特徴としている。
【０００９】
そして、かかる構成を有するが故に、本発明の支持具によれば、配線・配管材をメッシュラック本体に布設する場合にも、単に支持具上に支持させるだけで足りるため、布設作業が簡略化される。また、配線・配管材の布設時又は布設後において、メッシュラック本体より不用意に外れてしまうことが防止される。なお、上述の場合と同様に、所謂インシュロック等の結束バンドにより結束固定しても良い。
【発明の効果】
【００１０】
（縦型メッシュラック）
本発明の縦型メッシュラックによれば、金属線材から成る複数の縦筋及び横筋が格子状に組まれて構成される縦向き配設方式のメッシュラック本体を構成する２本の横筋間に対して、配線・配管材を支持する支持具が架設される構成とされているので、配線・配管材をメッシュラック本体に布設する場合にも、単に支持具上に支持させるだけで足りるため、布設作業を簡略化することができるという効果がある。また、配線・配管材の布設時又は布設後において、支持具が不用意にメッシュラック本体から外れてしまうことを防止することができ、ひいては、布設時又は布設後における安全性を向上することができるという効果がある。勿論、配線・配管材の布設作業時において、支持具に支持させた後、所謂インシュロック等の結束バンドによって結束固定しても良く、その場合、配線・配管材は既に支持具に支持された状態となっているから、結束作業を簡略化することができるという効果がある。更には、支持具をメッシュラック本体の適宜位置に取り付けることができるので、使い勝手が格段に向上するという効果がある。
（支持具）
本発明の支持具によれば、金属線材から成る複数の縦筋及び横筋が格子状に組まれて構成される縦向き配設方式のメッシュラック本体を構成する２本の横筋間に対して架設される構成とされているので、配線・配管材をメッシュラック本体に布設する場合にも、単に支持具上に支持させるだけで足りるため、布設作業を簡略化することができるという効果がある。また、配線・配管材の布設時又は布設後においても、メッシュラック本体から不用意に外れてしまうことを防止することができ、ひいては、布設時又は布設後における安全性を向上することができるという効果がある。勿論、上述の場合と同様に、配線・配管材を支持具に支持させた後、所謂インシュロック等の結束バンドによって結束固定しても良く、この場合、結束作業を簡略化することができる。更には、支持具をメッシュラック本体の適宜位置に取り付けることができるので、使い勝手が格段に向上するという効果がある。
【発明を実施するための最良の形態】
【００１１】
以下、添付図面を参照して本発明の最良な実施の形態の例（実施例）について説明する。勿論、下記実施例は、本発明の最良な実施例を示すに過ぎず、本発明の技術的範囲は、下記実施例そのものに何ら限定されるものではない。なお、本願発明は縦型メッシュラック及び支持具に関するものであるが、縦型メッシュラック本体は支持具を備えているため、下記実施例においては縦型メッシュラックの実施例についてのみ説明する。従って、支持具のみが実施される場合にも、本願発明の実施に該当する。
【００１２】
図１は、本発明の一実施例である縦型メッシュラック１００の斜視図である。図１に示すように、縦型メッシュラック１００は、メッシュラック本体１１０と、吊具１２０と、複数の第１支持具１３０，…，１３０と、複数の第２支持具１４０，…，１４０とによって構成されており、いわゆる縦型に設置された状態で配線材５００や配管材（図示せず）を支持するものである。
【００１３】
メッシュラック本体１１０は、金属線材から成る複数の縦筋１１１，…，１１１と、複数の横筋１１２，…，１１２とを備えており、これら複数の縦筋１１１，…，１１１及び横筋１１２，…，１１２とが溶接等により格子状に組まれることにより構成されている。よって、例えば、図７に示すように、開放側が壁側となるように設置すれば、手前側（例えば、作業現場等）をガードすることができるとともに、適宜箇所から必要分の配線材５００を引き出すことが可能となる。
【００１４】
更に、縦筋１１１，…，１１１及び横筋１１２，…，１１２により構成される格子面１１３は、垂直に配設される垂直部１１３ａ及び水平に配設される水平部１１３ｂを形成している。このように、水平部１１３ｂを設けることによって、メッシュラック本体１１０にうねりが発生してしまうことを防止することが可能となる。この場合、水平部１１３ｂが垂直部１１３ａの上下両端に設けられることが好ましい。また、隣合う横筋１１２，１１２の間隔は、いずれも等しくされている。このため、後述する一種類（一規格）の第１支持具１３０をいずれの高さ位置にも取付固定することが可能となる。
【００１５】
ここで、各隣合う縦筋１１１，１１１、及び各隣合う横筋１１２，１１２は平行となるように組まれている。また、各縦筋１１１は、略コ字状となるように折曲成形され、一方、上下両端の横筋１１２ａは、角形線材により構成されている。すなわち、上下両端の横筋１１２ａを除く中間の横筋１１２ｂ，…，１１２ｂ及び縦筋１１１，…，１１１は、全て丸形線材により構成されている。このため、後述する第１支持具１３０を取り付ける際、第１掛止部１３１を掛止した状態で回転させれば、第１係合部１３２を簡単に取り付けることが可能である。また、布設された配線材５００が傷ついてしまうことを防止することもできる。なお、横筋１１２の延伸方向は、配線材５００の延伸方向と一致し、縦筋１１１の延伸方向は、横筋１１２の延伸方向と直交している。
【００１６】
吊具１２０は、メッシュラック本体１１０を縦置きに設置するものであって、より具体的には、天井から縦向き吊り下げた状態に設置するものである。この吊具１２０は、略逆Ｌ字状に形成されるとともに、各縦筋１１１を嵌合するための嵌合溝１２１を複数備えている。
【００１７】
第１支持具１３０は、メッシュラック本体１１０に取り付けられた状態で配線材５００を支持するものであって、図２に示すように、垂直部１１３ａを構成する上位の横筋１１２に掛止する部位である第１掛止部１３１と、該第１掛止部１３１の掛止状態を維持すべく下位の横筋１１２に係合する部位である第１係合部１３２と、配線材５００や配管材（図示せず）を支持する部位である第１支持部１３３と、第１掛止部１３１と第１係合部１３２を連結する第１連結部１３４とによって構成されている。なお、第１支持具１３０は、本願に係る縦型メッシュラックを構成する支持具の実施例に該当することは勿論のこと、本願に係る支持具の実施例に該当することはいうまでもない。
【００１８】
第１掛止部１３１は、フック部材１５１によって構成されており、このフック部材１５１は、一方の端部がＵ字状に折曲成形されるとともに、他方の端部がＬ字状に、更には、中間部においてＬ字状に折曲成形されている。このＵ字状部分によって、第１掛止部１３１が構成されている。
【００１９】
第１係合部１３２は、第１掛止部１３１の両側（両脇）に設けられるとともに凸部１５２ａを有する係合ステー部材１５２によって構成されている（勿論、凹部（図示せず）であっても良いし、凹部と凸部１５２ａとの組み合わせであっても良い）。このように、第１支持具１３０は、第１掛止部１３１及び第１係合部１３２の両部位によって２本の横筋１１２，１１２間に架設するように取付可能であるので、メッシュラック本体１１０に強固に取着可能となる。従って、配線材５００の布設時は勿論のこと、布設後においても、配線材５００がメッシュラック本体１１０より不用意に落下してしまうことを防止することができる。これは、メッシュラック本体１１０に水平部１１３ｂが形成されていない場合には特に顕著な効果となるし、水平部１１３ｂが構成されている場合にも、メッシュラック本体１１０は複数の縦筋１１１及び横筋１１２が格子状に組まれたものであるから、配線材５００が落下しなくても第１支持具１３０が落下してしまうを防止することができ、安全性が飛躍的に向上する。すなわち、縦型メッシュラック１００は天井から吊下げる方式のみならず、壁掛け方式としたりする等して、設置場所のスペースに適合することができて使い勝手が良いのであるが、これの不具合を解消することができ、非常に顕著な効果を奏するのである。
【００２０】
また、第１係合部１３１を構成する係合ステー部材１５２は、第１掛止部１３１であるフック部材１５１の両側（両脇）に配置している。これにより、図３（ｂ）に示すように、第１支持具１３０をメッシュラック本体１１０の格子面１１３に対して回転しないように取り付けることができる。第１支持具１３０が回転すると、メッシュラック本体１１０から外れやすくなってしまうからである。
【００２１】
更には、フック部材１５１を掛止させた後、図３（ａ）に示すように、第１支持具１３０全体を回転させることによって係合ステー部材１５２を係合させることにより簡単に第１支持具１３０を２本の横筋１１２，１１２間に架設するように取り付けることができるのである。
【００２２】
第１支持部１３３は、フック部材１５１のＬ字状端部によって構成されている。すなわち、一の線材を折曲成形したフック部材１５１によって、第１掛止部１３１及び第１支持部１３３、更には、第１掛止部１３１及び第１支持部１３３を連結する第１連結部１３４をも構成するので、第１支持具１３０の機構を簡素、安価とすることができる。
【００２３】
第２支持具１４０は、第１支持具１３０と同様に、メッシュラック本体１１０に取り付けられた状態で配線材５００を支持するものであって、図４に示すように、垂直部１１３ａを構成する最下段の横筋１１２に掛止する第２掛止部１４１と、該第２掛止部１４１の掛止状態を維持すべく水平部１１３ｂを構成するとともにメッシュラック本体１１０の端部を構成する横筋１１２に係合する第２係合部１４２と、配線材５００や配管材（図示せず）を支持する部位である第２支持部１４３と、第２掛止部１４１と第２係合部１４２とを連結する部位である第２連結部１４４とによって構成されている。なお、第１支持具１３０と同様に、第２支持具１４０は、本願に係る縦型メッシュラックを構成する支持具の実施例に該当することは勿論のこと、本願に係る支持具の実施例に該当することはいうまでもない。
【００２４】
第２掛止部１４１は、側方からみて略コ字状に形成された差込部材１６１によって構成されており、第２係合部１４２は、基台部材１６２、及びこの基台部材１６２に螺合されたネジ部材１６３によって構成されている。このネジ部材１６３と基台部材１６２とによって、水平部１１４を構成する横筋１１２と係合するのである。従って、第２支持具１４０をメッシュラック本体１１０に強固に固定することができる。
【００２５】
第２支持部１４３は、基台部材１６２及び基台部材１６２によって回動（正逆回転）可能に支持されたローラ部材１６４によって構成されている。そして、このローラ部材１６４の上に配線材５００が支持されるのである。従って、配線材５００の布設時における該配線材５００の引込作業を簡略化することができるのである。また、第２支持部１４３は、基台部材１６２に連設する脱落防止ステー部材１６５を備えている。従って、配線材５００がローラ部材１６４上から落ちてしまうことを防止することができる。
【００２６】
第２連結部１４４は、基台部材１６２により構成されており、この基台部材１６２は、第２掛止部１４１及び第２係合部１４２によってメッシュラック本体１１０に取付固定されるとともに、配線材５００を支持するローラ部材を支持している。従って、配線材５００の引込作業に伴ってローラ部材１６４に圧力が加わっても、その圧力に十分耐えうる強度が得られる。
【００２７】
次に、以上のように構成された縦型メッシュラック１００を用いた配線材５００の布設方法について説明する。まず、第２支持具１４０のローラ部材１６４を利用して、配線材５００を引き込む引込作業を行う。配線材５００の引込作業が終わったら、その引き込んだ配線材５００を第１支持具１３０に掛け直す、即ち移設する移設作業を行う。そして、この引込作業と移設作業を適宜回数繰り返すことによって配線材５００の布設が終了する。以上のように、配線材５００を布設する際に、各支持具毎に対して配線材５００を引っかけたり、所定間隔毎に結束ベルト等を用いて結束する煩雑な作業を省略することができるし、引込用の支持具と支持用の支持具とが別々とされているので、各支持具毎にローラを設けなくても良くなって、縦型メッシュラック１００を安価に製造することが可能となる。
【００２８】
この縦型メッシュラック１００を用いた配線材５００の布設方法を特許請求の範囲の記載に適合するように記載すると、金属線材から成る複数の縦筋１１１，…，１１１及び横筋１１２，…，１１２が格子状に組まれて構成されるとともに前記縦筋及び横筋により構成される格子面１１３が垂直に配設される垂直部１１３ａおよび水平に配設される水平部１１３ｂを備えた縦向き配設方式のメッシュラック本体１１０と、該メッシュラック本体１１０に取り付けられた状態で配線・配管材を支持するとともに２本の横筋間に架設される支持具１３０，１４０とを備えた縦型メッシュラック１００を用いた配線・配管材５００の布設方法において、前記支持具１３０，１４０のうち前記水平部１１３ｂ又は垂直部１１３ａの何れかを構成する一方の横筋１１２と前記水平部１１３ｂを構成する他方の横筋１１２との間に架設される方式の第２支持具１４０を用いて配線・配管材を引き込む引込作業と、該引込作業により引き込まれた配線・配管材５００を前記支持具１３０，１４０のうち垂直部１１３ａを構成する２本の横筋１１２間に架設される方式の第１支持具１３０に移設する移設作業とを備えており、前記引込作業及び移設作業を適宜回数繰り返すことによって配線・配管材５００を布設することを特徴とする縦型メッシュラック１００を用いた配線・配管材５００の布設方法（ａ）。
【００２９】
縦型メッシュラック１００を用いた配線・配管材５００の布設方法（ａ）において、第２支持具がローラ部材１６４を備えていることを特徴とする縦型メッシュラック１００を用いた配線・配管材５００の布設方法（ｂ）
以上、実施例に基づき本発明を説明したが、上記実施例は、本発明の趣旨を逸脱しない範囲内で種々の改良変形が可能であることはいうまでもなく、本発明の技術的範囲には、それらの改良変形も含まれる。以下、数例を説明する。
【００３０】
例えば、上記実施例においては、第１支持具１３０がメッシュラック本体１１０の一の面側（開放面側）のみに取着されている。しかしながら、図８に示すように、第１支持具１３０をメッシュラック本体１１０の一の格子面１１３側のみならず他の格子面１１３側にも（即ち、両面側に）設けるようにしても良い。このようにすれば、一の格子面１１３側のみに設けられている第２支持具１４０を介して引き込まれた配線材５００をメッシュラック本体１１０の他の格子面１１３側にも布設することが可能となる。
【００３１】
また、上記実施例においては、メッシュラック本体１１０が略コ字状に形成されている。しかしながら、その形状は略コ字状に限られず、例えば、図９（ａ）〜（ｃ）に示すような、略ｌ（小文字のエル）字状（言い換えれば、直線状）であっても良いし、略Ｌ字状であっても良いし、略エ字状であっても良い。ただし、メッシュラック本体１１０のうねりを防止する観点から、Ｉ字状でなく、すなわち、垂直部１１３ａのみを有する形状でなく、水平部１１３ｂも備える構成とすることが好ましい。
【００３２】
更に、上記実施例においては、第１支持具１３０及び第２支持具１４０が隣合う横筋１１２，１１２間に架設するものとされている。しかしながら、当然にこれに限られるものではなく、フック部材の長さを適宜長さとすることにより、一つおき又は二つおき（複数おき）の横筋１１２，１１２間に架設するものであっても良い。図１０（ｂ）に示すものは、第１支持具１３０が一つおきの横筋１１２，１１２間に架設される方式のものであり、この場合、メッシュラック本体１１０の縦筋１１１に対して横筋１１２が互い違いに配設すれば、第１支持具１３０をメッシュラック本体１１０の両面側に配設する場合に好ましい。その組立ても図１０（ａ）に示すように、簡単である。
【００３３】
更に、上記実施例においては、第２支持具１４０が、第２掛止部１４１が垂直部１１３を構成する最下段の横筋１１２に掛止し、水平部１１４を構成するとともにメッシュラック本体１１０の端部を構成する横筋１１２に係合するように構成されている。しかしながら、勿論、垂直部１１３を構成する最下段以外の横筋１１２、又は水平部１１４を構成する横筋１１２に掛止するようにされても良いし、水平部１１４を構成するメッシュラック本体１１０の端部以外を構成する横筋１１２に係合するように構成されても良い。
【００３４】
更に、上記実施例においては、２本の横筋間に架設するように取着可能とするために、第１支持具１３０が第１掛止部１３１と第１係合部１３２とを備える一方、第２支持具１４０が第２掛止部１４１と第２係合部１４２とを備えている。即ち、各支持具１３０，１４０は、掛止する部位と、その掛止状態を維持する係合する部位とによって構成されている。しかしながら、２本の横筋間に架設するように取着可能であれば、両部位が掛止する部位であっても良いし（少なくとも一方をネジ込み式にするなどの工夫が必要）、両部位が係合する部位であっても良い。更には、第１支持具１３０を構成する第１掛止部１３１は、差込部材１６１によって構成されても良いし、第１係合部１３２が、基台部材１６２と該基台部材１６２に回動可能に支持されたローラ部材１６４によって構成されても良い。第２支持具１４０についても同様であるので詳細な説明は割愛する。
【００３５】
更に、上記実施例においては、第１支持具１３０及び第２支持具１４０の両方が設けられているが、かならずしも、両方設けなくてもよく、何れか一方を設けるようにしても良い。特にメッシュラック本体１１０の形状が略ｌ字状である場合には、第１支持具１３０のみを設ければ良い。
【００３６】
更に、上記実施例においては、第１支持具１３０及び第２支持具１４０がメッシュラック本体１１０の片面側にのみ設けられているが、両面に設けるようにしても良い。特にメッシュラック本体１１０の形状が略エ字状である場合には、各支持具１３０，１４０を両面に設けても良い。ただし、費用の関係上、第２支持具１３０はメッシュラック本体１１０の片面側にのみ設けられることが好ましい。何故なら、第２支持具１４０を用いて引き込んだ配線材５００をメッシュラック本体１１０の下側を介して反対面側へ回して配線することが可能であるからである。
【図面の簡単な説明】
【００３７】
【図１】本発明の一実施例である縦型メッシュラックの斜視図である。
【図２】上記縦型メッシュラックを構成する第１支持具の図であり、（ａ）は側面図    、（ｂ）は上面図、（ｃ）は背面図である。なお、側面、上面、背面は、便宜上、区    別しているに過ぎない。
【図３】（ａ）は第１支持具を取り付ける様子を示す図であり、（ｂ）は取り付けた    後の様子を示す図である。
【図４】上記縦型メッシュラックを構成する第２支持具の図であり、（ａ）は側面図    、（ｂ）は背面図、（ｃ）は更に正面図である。なお、側面、背面、正面は、便宜上    、区別しているに過ぎない。
【図５】上記縦型メッシュラックを用いた配線材の布設方法のうち、引込作業を示す    図である。
【図６】上記縦型メッシュラックを用いた配線材の布設方法のうち、移設作業を示す    図である。
【図７】上記縦型メッシュラックを設置例を示す図である。
【図８】上記縦型メッシュラックの変形例を示す図である。
【図９】上記縦型メッシュラックの変形例を示す図である。
【図１０】上記縦型メッシュラックの変形例を示す図である。
【符号の説明】
【００３８】
１００    縦型メッシュラック
１１０    メッシュラック本体
１１１    縦筋
１１２    横筋
１１３    格子面
１１３ａ  垂直部
１１３ｂ  水平部
１２０    吊具
１２１    嵌合溝
１３０    第１支持具
１３１    第１掛止部
１３２    第１係合部
１３３    第１支持部
１３４    第１連結部
１４０    第２支持具
１４１    第２掛止部
１４２    第２係合部
１４３    第２支持部
１４４    第２連結部
１５１    フック部材
１５２    係合ステー部材
１５２ａ  （係合ステー部材の）凸部
１６１    差込部材
１６２    基台部材
１６３    ネジ部材
１６４    ローラ部材
１６５    脱落防止ステー部材
５００    配線材
【図１】
2005312215.tif 000002
【図２】
2005312215.tif 000003
【図３】
2005312215.tif 000004
【図４】
2005312215.tif 000005
【図５】
2005312215.tif 000006
【図６】
2005312215.tif 000007
【図７】
2005312215.tif 000008
【図８】
2005312215.tif 000009
【図９】
2005312215.tif 000010
【図１０】
2005312215.tif 000011